(57)【特許請求の範囲】
【請求項１】
軸筒後部にインクを直に貯溜するタンクを有し、かつ軸筒前部にインク保溜体を有したインク直接貯溜方式の筆記具において、
コップ状の後端にフランジ部を備えて弾性に富んだ樹脂又はゴムで出来たシール筒をキャップ内に設けた係止段部に前記フランジ部を当接係止して装着し、
一方、先端にチップを備えたインク保溜体先部の円錐面後部に口金が設けられて、口金とインク保溜体との内外面の間に空気溝が設けられ、又、空気溝と連通する開口部が口金の端部から前方の円錐面にかけて設けられ、キャップを軸筒前方に被着するときに円錐面の開口部途中からシール筒の内側開口縁を嵌合させ、キャップの被着が完了した時、口金の端部にシール筒のフランジ部端面が当接して押圧密着し、空気溝の開口部とペン先を密封するようにしたことを特徴とする筆記具。
【発明の詳細な説明】
【０００１】
【産業上の利用分野】
本発明はインクを中綿等に吸蔵させないで直接貯溜するインクタンクを有し、又インクタンク内の空気が温度上昇等の原因によって膨張した場合にインクタンクから押し出されるインクを筆先部や空気孔からボタ落ちさせないために一時的に保溜するインク保溜体を付設した筆記具のキャップの改良に関する。
【０００２】
【従来の技術】
従来のインク直接貯溜方式の筆記具のキャップは、キャップの脱着時にシール筒内の容積変化を起こさないようにシール筒を軸方向に移動可能にしシール筒の開口縁部を筆記具軸筒の口金の円錐面に適宜な押し圧力で当接させ密封している。
【０００３】
また、いわゆる中綿方式と呼ばれる筆記具のキャップでは軸筒に被着しペン先と空気孔を密封するがシールを確実にするためキャップを軸筒に被着する時、被着が完了する直前より軸筒とキャップのシール部が密着嵌合し被着が完了する間にキャップの内部空間は縮小する。このためキャップ被着時はキャップ内が加圧される。又逆にキャップを脱着する時、シール部の密着嵌合部が外れる間はキャップ内は空間が拡大するため減圧する。しかし中綿方式の筆記具はキャップ内部と中綿が収納されている軸筒後半部とが軸筒の空気孔を介して空間としては連続しているため全体が加圧減圧されインク貯溜部もペン先も圧力は変わらず、キャップの着脱時にペン先や空気孔からインクが流出する作用が働かない。ところが直接貯溜方式の筆記具においてはキャップの着脱時にシール筒内の容積変化を起こさせないようにしているのは、キャップの着脱時にシール筒内が加圧減圧を起こすと、加圧された時にはシール筒内の空気が圧縮されその分だけ空気孔からインク保溜体を通ってインクタンク内に気泡として浸入しその分だけインクが溢れ出してインク保溜体に保溜される。また逆に軸筒からキャップを外す場合、シール筒内の空気は上記の現象とは逆に減圧される事になり、そのためインクタンク内のインクが引き出され、やはりインク保溜体に保留されたり、ペン先からインクを引き出す事になる。このようにキャップの着脱の度にインク保溜体のインク保溜量が増加していき最後には保溜能力を超過して空気孔からインクが流出したり、ペン先からインクが漏れ出したりする。そこで従来のインク直接貯溜方式の筆記具のキャップは、この現象を防ぐために下記のような構造を採用している。
【０００４】
【発明が解決しようとする課題】
従来の直接貯溜方式の筆記具のキャップは、キャップの脱着時にポリプロピレンやポリエチレンでできた比較的硬いシール筒内を加圧減圧させないでかつ密封するようにシール筒を軸方向に移動可能にして開口縁部を筆記具軸筒の口金の円錐面に密着させる構造のため、構造が複雑になり部品点数も多くなり製品単価の上昇と組立の煩雑さからくる組立費の上昇の要因にもなっている。本発明の目的はかかる弊害を解決したキャップを提供可能とすることにある。
【０００５】
【課題を解決するための手段】
前記目的を達成するために、本発明の筆記具は、軸筒後部にインクを直に貯溜するタンクを有し、かつ軸筒前部にインク保溜体を有したインク直接貯溜方式の筆記具において、コップ状の後端にフランジ部を備えて弾性に富んだ樹脂又はゴムで出来たシール筒をキャップ内に設けた係止段部に前記フランジ部を当接係止して装着し、一方、先端にチップを備えたインク保溜体先部の円錐面後部に口金が設けられて、口金とインク保溜体との内外面の間に空気溝が設けられ、又、空気溝と連通する開口部が口金の端部から前方の円錐面にかけて設けられ、キャップを軸筒前方に被着するときに円錐面の開口部途中からシール筒の内側開口縁を嵌合させ、キャップの被着が完了した時、口金の端部にシール筒のフランジ部端面が当接して押圧密着し、空気溝の開口部とペン先を密封するようにしたことを特徴とする。なお、口金の開口端部をシール筒に当接するとシール筒の端面は圧縮されシール筒内の空間は加圧されるがシール筒の圧縮量を僅かな量にすることができるようにキャップの軸筒への被着停止位置を規制する事でシール筒内の空間の加圧を実使用上問題とならないようにすることができる。
【０００６】
【実施例】
図１は本発明の一実施例を示したもので、以下図面に基づき詳説する。筆記具本体はその軸筒１の後部をインク室２となし前方には外周面に多数の周溝３とその周溝３を連通させる縦溝４を有するインク保溜体５が装着され、そのインク保溜体５の中心部に軸方向に貫通する縦孔６にはインク誘導芯７が貫装され、更にインク誘導芯７の先は中芯８に当接又は刺さり、中芯８はその先のペン先９に接続されて、インクはインク室２よりインク誘導芯７を通り中芯８に渡りペン先９に供給されるようになっている。
【０００７】
次にキャップ１３は開口縁近傍内面に軸筒１の凸部１５と係合するための係合突起１４が形成され軸筒１の凸部１５に係合すると共にキャップ１３の内壁に設けられた複数のリブ１６の当接段部１７が軸筒１に密着嵌合している口金１０の鍔部１１に当接し軸筒１に対し定位置に被着されるようになっている。更にキャップ１３のリブ１６に係止段部１８が形成され、コップ状のゴムで出来たシール筒１９のフランジ部２０が係止段部１８に付き当てられリブ１６に嵌合しキャップ１３内の定位置に係止されている。ここでキャップ１３を被着する時、シール筒１９の内側開口縁２２がインク保溜体５の円錐面２３の空気溝１２の開口部２４の途中から嵌合しシール筒１９の開口部を半径方向に押し広げながら被着していくようにするが、これはシール筒１９の軸心と軸筒１の軸心すなわち口金１０の軸心がずれていてもキャップ被着完了時シール筒１９の開口部が変形し確実にシール筒１９の端面２１と口金１０の端部２５が全周にわたって密着するようにしたものであり、またシール筒１９の内側開口縁２２がインク保溜体５の円錐面２３の空気溝１２の開口部２４途中から嵌合するようにしてあるのはキャップ被着完了時までシール筒１９内を空気溝１２の開口部２４を介して外気と通気出来るようにしシール筒１９内が加圧されペン先９の先端から空気が流入しインクの流出を阻害し筆記に不都合を与えないようにするためである。そして、キャップ１３の当接段部１７に口金１０の鍔部１１が当接しキャップの被着が完了した時、口金１０の端部２５はシール筒１９の端面２１に０．０５から０．５ｍｍ程度入り込み口金１０の端部２５とシール筒の端面２１が密着し空気溝１２とペン先９が密封される。
【０００８】
【作用】
以上の如く構成された筆記具に於て、筆記具本体にキャップ１３を装着するとペン先９と空気孔１２を含む先部がシール筒１９の中に入り込みシール筒１９の端面２１が口金１０の端部２５にまず当接しその後更に極微少軸筒１がキャップ１３に入り込み口金１０の鍔部１１がキャップ１３の当接段部１７に当接し停止すると同時に、軸筒１の凸部１５にキャップ１３の係合突起１４が係合し軸筒１とキャップ１３の被着状態を保ち、シール筒１９の端面２１に口金１０の端部２５が僅かに入り込み密着し空気溝１２及びペン先９を密封する。ここで口金１０の端部２５がシール筒１９の端面２１に当接密着する際、端面２１が圧縮しシール筒１９の内容積が小さくなりシール筒内１９の内圧が上昇するが、口金１０の端部２５のシール筒１９開口端部２１の押し圧長は極僅かな量であるためシール筒１９内は僅かに圧縮されるだけですみ、インク保溜体５へのインクの流入も極僅かで、実使用上筆記によりインクが消費される事によりインク保溜体５へ入ったインクはインク室２に戻るため、インク保溜体５にインクが満杯になり空気溝１２よりインクが流れ出すことは無い。更にキャップを被着する時、シール筒１９の内側開口縁２２がインク保溜体の円錐面２３の空気溝１２の開口部２４の途中から嵌合しシール筒１９の開口部を半径方向に押し広げながら被着していくようにしてあるため、シール筒１９の軸心と軸筒１の軸心すなわち口金１０の軸心がずれていてもキャップ被着完了時シール筒１９の開口部が変形し確実にシール筒１９の端面２１と口金１０の端部２５が全周にわたって密着する。またシール筒１９の内側開口縁２２がインク保溜体５の円錐面２３の空気溝１２の開口部２４の途中から嵌合するようにしてあるためキャップ被着完了時までシール筒１９内を空気溝１２の開口部２４を介して外気と通気出来るようになり、シール筒１９内が加圧される事もなくペン先９の先端から空気が流入しインクの流出を阻害し筆記にさいし不都合が出るようなこともない。また、インク保留体５は筆記部を保持しうるように筆記先端部に延設されることにより部品点数の減少に役立つとともに空気溝１２の確保を容易なものとしている。
【００１０】
【発明の効果】
本発明の構成及び作用は以上の通りであり、従来の内キャップのようにキャップ内で押し圧力を作用させながら可動可能とする必要がないため、部品点数が少なくなり組み立ても簡単になる。このため安価で良好な品質を維持する事が可能となる。
【図面の簡単な説明】
【図１】本発明の筆記具の縦断面図である。
【図２】図１のキャップを外した筆記具本体の先部の部分断面図である。
【図３】図１の筆記具本体を外したキャップの部分断面図である。
【図４】図２のＡＡ断面図である。
【図５】図３のＢ矢視図である。
【図６】シール筒の端面が空気溝の開口部の途中から嵌合し始めていることをしめす参考図である。
【符号の説明】
１    軸筒
２    インク室
３    周溝
４    縦溝
５    インク保溜体
６    縦孔
７    インク誘導芯
８    中芯
９    ペン先
１０  口金
１１  鍔部
１２  空気溝
１３  キャップ
１４  係合突起
１５  凸部
１６  リブ
１７  当接段部
１８  係止段部
１９  シール筒
２０  フランジ部
２１  端面
２２  内側開口縁
２３  円錐面
２４  開口部
２５  端部
【図１】
0003926421.tif 000002
【図２】
0003926421.tif 000003
【図３】
0003926421.tif 000004
【図４】
0003926421.tif 000005
【図５】
0003926421.tif 000006
【図６】
0003926421.tif 000007